(57)【要約】【課題】発射された球の投球軌跡が一定になり、しかも、構成が簡単なトスバッティング練習装置の提供である。【解決手段】筐体１に、送球装置Ｃと、該送球装置Ｃの送球口の直下に、投球装置Ａの球受口が臨むようにして投球装置Ａを取付け、前記送球装置Ｃから１個ずつ送られる球Ｂを、前記投球装置Ａを構成する投球案内筒２に入り込ませ、前記投球案内筒２に内装された投球ロッド体Ｄを投球ばね７の弾発力によって急上動させて、前記投球案内筒２に入り込んだ球Ｂを、該投球案内筒２に案内させながら発射させる。【選択図】　　　　図１
2004024480.tif 000002
【特許請求の範囲】
【請求項１】
球を１個ずつ送り出す送球装置と、該送球装置の送球口の直下に投球口が臨んだ状態で、前記送球装置と一体に取付けられる投球装置とを備えたトスバッティング練習装置であって、
前記投球装置は、
上端開口が球受口を兼用した投球口となった投球案内筒と、
上端に被ロック部が設けられて、前記投球案内筒に内装される投球ロッド体案内筒と、
前記投球ロッド体案内筒に上下動可能にして内装され、弾発手段により上方に弾発付勢されると共に、その上端部に、球受板と前記被ロック部に対して係合ロックされるロック機構とが設けられた投球ロッド体とを備え、
前記投球ロッド体のロック機構により、そのロック部が前記投球ロッド案内筒の被ロック部に係合ロックされた状態で、前記投球案内筒の投球口から内部に落下した球が前記球受板に衝突して、該球受板が僅かに下動することにより、投球ロッド体案内筒に対する投球ロッド体の係合ロックが解除されて、前記弾発手段により投球ロッド体を上方に弾発発進させて、前記球受板に保持された球を投球案内筒で案内しながら投球することを特徴とするトスバッティング練習装置。
【請求項２】
前記送球装置に対する投球装置の取付角度が調整可能であることを特徴とする請求項１に記載のトスバッティング練習装置。
【請求項３】
前記弾発手段は、ばね体であり、バッティング練習者が、前記投球案内筒に設けられたペダル装置の踏込板を踏み込むことにより、該踏込板と連動して前記投球ロッド体が押し下げられるように構成されていることを特徴とする請求項１又は２に記載のトスバッティング練習装置。
【請求項４】
前記送球装置には、球の送りを堰き止めるためのシャッタ装置が設けられていて、該シャッタ装置を構成するシャッタは、フットスイッチによって開閉されるように構成されていることを特徴とする請求項１ないし３のいずれかに記載のトスバッティング練習装置。
【発明の詳細な説明】
【０００１】
【発明の属する技術分野】
本発明は、球を１個ずつ送り出す送球装置と、該送球装置の送球口の直下に投球口が臨んだ状態で、前記送球装置と一体に取付けられる投球装置とを備えたトスバッティング練習装置に関するものである。
【０００２】
【従来の技術】
トスバッティングの練習をするとき、球を打つバッティング練習者の他に、前記バッティング練習者に向かって球をトスするための補助者が必要である。換言すれば、トスバッティングの練習をする場合、バッティング練習者１人では練習をすることが困難である。この問題を解決するために、１人であってもトスバッティングの練習ができる装置が特許出願されている（例えば、特開２０００−１７６０７１号公報）。しかし、前記公報に開示されたトスバッティング練習装置では、モータによって球を発射させる形態であるため、その構成が複雑になり、高価であると共に、屋外等の電源が存在しない場所で使用することは極めて困難である。
【０００３】
また、球の投球軌跡は、常に一定であることが望ましい。しかし、従来のトスバッティング練習装置では、供給レールの終端部に配置された球を、連続回転するレバー体が打ち出す構成であるため、球の投球軌跡が定まりにくいという不具合がある。
【０００４】
【発明が解決しようとする課題】
本発明は、上記した不具合に鑑み、球の投球軌跡がほぼ一定になり、しかも、簡単な構成のトスバッティング練習装置を提供することを課題としている。
【０００５】
【課題を解決するための手段】
上記課題を解決するための請求項１に記載の発明は、球を１個ずつ送り出す送球装置と、該送球装置の送球口の直下に投球口が臨んだ状態で、前記送球装置と一体に取付けられる投球装置とを備えたトスバッティング練習装置であって、前記投球装置は、上端開口が球受口を兼用した投球口となった投球案内筒と、上端に被ロック部が設けられて、前記投球案内筒に内装される投球ロッド体案内筒と、前記投球ロッド体案内筒に上下動可能にして内装され、弾発手段により上方に弾発付勢されると共に、その上端部に、球受板と前記被ロック部に対して係合ロックされるロック機構とが設けられた投球ロッド体とを備え、前記投球ロッド体のロック機構により、そのロック部が前記投球ロッド案内筒の被ロック部に係合ロックされた状態で、前記投球案内筒の投球口から内部に落下した球が前記球受板に衝突して、該球受板が僅かに下動することにより、投球ロッド体案内筒に対する投球ロッド体の係合ロックが解除されて、前記弾発手段により投球ロッド体を上方に弾発発進させて、前記球受板に保持された球を投球案内筒で案内しながら投球することを特徴としている。
【０００６】
投球装置を構成する投球案内筒に、上下動可能にして内装された投球ロッド体が下動され、該投球ロッド体の上端部に設けられたロック部が、投球ロッド体案内筒の被ロック部に係合ロックされる。このとき、前記投球ロッド体は、弾発手段により、上方に弾発付勢された状態で保持される。送球装置から送られた球は、前記投球案内筒の上端開口から、その内部に入り込んで落下し、前記投球ロッド体の上端部に取付けられた球受板と衝突して、該球受板を僅かに下動させる。このため、投球ロッド体のロック部と投球ロッド体案内筒の被ロック部との係合ロックが解除され、前記投球ロッド体は、弾発手段により、急発進される。このため、球受板に保持された球は、投球案内筒に案内されながら、その上端開口から発射される。このように、本発明に係るトスバッティング練習装置を構成する投球装置では、投球案内筒の上端開口から内部に入り込んだ球は、該投球案内筒に案内され、再び投球案内筒の上端開口から発射される。このため、球の投球軌跡が一定になる。また、投球ロッド体や投球ロッド体案内筒等の部材は、投球案内筒に内装される。このため、投球装置がコンパクトになる。
【０００７】
請求項２に記載の発明は、請求項１に記載の発明を前提として、前記送球装置に対する投球装置の取付角度が調整可能であることを特徴としている。このため、発射された球の投球軌跡を調整することができ、バッティング練習者の身長や打撃位置に応じて、発射された球の到達高さを変えることができる。
【０００８】
請求項３に記載の発明は、請求項１又は２に記載の発明を前提として、前記弾発手段は、ばね体であり、バッティング練習者が、前記投球案内筒に設けられたペダル装置の踏込板を踏み込むことにより、該踏込板と連動して前記投球ロッド体が押し下げられるように構成されていることを特徴としている。このため、投球装置の構成が極めて簡単なものになると共に、電源を必要としない。この結果、バッティング練習者が一人であってもバッティング練習をすることができるという利点を損なうことなく、トスバッティング練習装置を安価に提供できると共に、屋外等の電源の供給が困難な場所であっても使用することができる。
【０００９】
請求項４に記載の発明は、請求項１ないし３のいずれかに記載の発明を前提として、前記送球装置には、球の送りを堰き止めるためのシャッタ装置が設けられていて、該シャッタ装置を構成するシャッタは、フットスイッチによって開閉されるように構成されていることを特徴としている。即ち、バッティング練習者がフットスイッチを操作するだけで、シャッタ装置を構成するシャッタが開閉され、該送球装置から送られた球が発射される。換言すれば、バッティング練習者は、送球装置を遠隔操作することができる。このため、バッティング練習者は、バッティング姿勢を取った後、当該姿勢をほとんど崩すことなく、発射された球を打つことができ、バッティング練習の成果を確実に得ることができる。また、シャッタ装置が設けられていることにより、球を１個だけ送ることができ、一度に複数個の球が送られることが防止される。
【００１０】
【発明の実施の形態】
以下、実施形態を挙げて本発明を更に詳細に説明する。図１は本発明に係るトスバッティング練習装置Ｔの全体斜視図、図２は同じく正面図、図３は投球装置Ａの正面断面図、図４は同じく平面図、図５は投球ロッド体Ｄの正面図、図６は図５のＸ−Ｘ線断面図である。図１及び図２に示されるように、本実施形態のトスバッティング練習装置Ｔは、バッティング練習者Ｍに向かって球Ｂを発射するための投球装置Ａと、前記投球装置Ａに球Ｂを１個ずつ送り出すための送球装置Ｃとから構成されている。前記投球装置Ａと前記送球装置Ｃは、いずれも、鋼材を組み合わせて箱状に形成された筐体１に、一体にして（連続状態で）取付けられている。即ち、送球装置Ｃの送球口の直下に、投球装置Ａの球受口が臨んでいて、球Ｂは、送球装置Ｃから、そのまま投球装置Ａに送られる。
【００１１】
投球装置Ａについて説明する。図２及び図３に示されるように、本実施形態の投球装置Ａは、筐体１の正面側に、所定の角度（本実施形態の場合、約６０度）でもって傾斜状態で取付けられている。筐体１に対する投球装置Ａの取付角度は、図示しない手段により、変更可能である。そして、その上部が、筐体１の側方に突出されている。この投球装置Ａは、投球案内筒２と、該投球案内筒２に入り込んだ球Ｂを発射させるための投球ロッド体Ｄと、該投球ロッド体Ｄを挿通させて、その上下動を案内するための投球ロッド体案内筒３と、前記投球案内筒２の外側に配設され前記投球ロッド体Ｄを押し下げるためのペダル装置Ｅとから構成されている。最初に、投球案内筒２について説明する。図３及び図４に示されるように、投球装置Ａを構成する投球案内筒２は、その上端面が開口されていると共に、その底板４の中心部に通し孔４ａが設けられた有底円筒状である。この上端開口は、送球装置Ｃから送られた球Ｂを入り込ませるための球受口となっていると共に、球Ｂを発射するための投球口となっている。前記投球案内筒２の上端部の外周面には、ブラケット５が、該投球案内筒２の上端面から上方に突出する形態で固着されていて、該ブラケット５の上端面には、平面視において略リング状にわん曲された球ガイド体６が取付けられている。この球ガイド体６は、送球装置Ｃから送られた球Ｂを、確実に前記投球案内筒２に入り込ませるためのものであり、その内径は、前記投球案内筒２の外径よりも少し大きい。
【００１２】
次に、投球ロッド体案内筒３について説明する。図３及び図５に示されるように、前記投球案内筒２の内側には、投球ロッド体Ｄの上下動を案内するための投球ロッド体案内筒３が、軸心同一にして取付けられている。この投球ロッド体案内筒３は、投球案内筒２の下側から、底板４の通し孔４ａを通す形態で組み付けられ、その底板部３ａが、投球案内筒２の底板４に固着されている。この状態で、投球ロッド体案内筒３の上端部は、前記投球案内筒２における長さ方向のほぼ中央部よりも少し上側に配置されている。投球ロッド体案内筒３の上端部は、周方向に張り出していて、投球ロッド体Ｄのロック装置部Ｌ（後述）と係合ロックされるフランジ部３ｂが形成されている。
【００１３】
次に、投球ロッド体Ｄについて説明する。図３及び図５に示されるように、この投球ロッド体Ｄは、投球ロッド体案内筒３に挿通され、投球ばね７の弾発力によって急上動されるロッド部Ｒと、該ロッド部Ｒの上方に設けられ、前述した投球ロッド体案内筒３のフランジ部３ｂと解除可能に係合ロックされるロック装置部Ｌとから構成されている。最初に、ロッド部Ｒの構成について説明する。このロッド部Ｒは、パイプ材より成るロッド本体部８の下端面に、前記ロッド本体部８よりも少し大きな外径を有するストッパ部９が固着されていると共に、その上端面は、ロック装置部Ｌを構成する支持板１１の底面部に固着されている。前記ストッパ部９の外径は、投球ロッド体案内筒３の内径よりも僅かに小さい。そして、前記ストッパ部９の底面部には、下方に向けてねじロッド１２が延設されている。このねじロッド１２の外周部分には、圧縮ばねである投球ばね７が弾装されていると共に、その下端部には雄ねじ部１２ａが設けられている。この雄ねじ部１２ａの部分は、投球ロッド体案内筒３の底板部３ａから突出されていて、当該部分にペダル装置Ｅ（後述）と連結するための連結板１３が、六角ナット１４により取付けられている。
【００１４】
図５及び図６に示されるように、前記投球ロッド体案内筒３の上部の外周部分には、一対のスリット部１５が軸直角にして設けられていて、該スリット部１５に、ストッパ板１６が装着されている。このストッパ板１６の一端部（投球ロッド体案内筒３のスリット部１５に差し込まれる側の部分）が二股状に切除されていて、その内幅１６ａは、ロッド本体部８の外径よりも僅かに広く、かつ、ストッパ部９の外径よりも僅かに狭い。このため、投球ロッド体Ｄは、ロッド本体部８の部分のみが、ストッパ板１６の切除部分を上下動可能である。何らかの理由により、投球ロッド体Ｄが過度に上動しようとしても、ロッド本体部８のストッパ部９がストッパ板１６に衝突する。このようにして、投球ロッド体Ｄの飛び出しが防止されている。また、前記ストッパ板１６により、投球ロッド体Ｄを押し下げて、投球ばね７が弾発付勢された状態に保持しておくことができる。しかも、この状態で、投球ロッド体Ｄを構成するねじロッド１２の雄ねじ部１２ａは、投球ロッド体案内筒３の底板部３ａから突出されている。このため、投球ロッド体案内筒３及び投球ロッド体Ｄの組付けが容易である。
【００１５】
次に、ロック装置部Ｌの構成について説明する。図５及び図７に示されるように、ロッド本体部８の上端面に固着された支持板１１の上方には、円板状の球受板１７が配置されている。この球受板１７の外径は、投球案内筒２の内径よりも少し小さい。そして、該球受板１７の底面部の中心位置には、棒状の球受ロッド１８が垂下されている。前記支持板１１の中心部には、前記球受ロッド１８の外径よりも少し大きな内径を有する球受ロッド挿通孔１１ａが設けられていて、該球受ロッド挿通孔１１ａに挿通された球受ロッド１８の下端部が、前記支持板１１の下方に突出されている。また、前記球受ロッド１８の外周部分で、支持板１１と球受板１７との間には、球受板１７を上方に付勢するための球受ばね１９が弾装されている。
【００１６】
図７及び図８に示されるように、前記球受ロッド１８の下端部には、所定間隔の切欠溝部１８ａが設けられている。そして、この切欠溝部１８ａに、一対の爪体２１が配置されている。一対の爪体２１は同一形状であり、それらが配置される向きが異なっているのみである。各爪体２１は、回動中心が設けられた基端部２２から、互いに直交する２本のレバー部（連結レバー部２３と係合レバー部２４）が延設された略Ｌ字状の形態である。そして、前記基端部２２が、支持板１１の底面部に相対向して取付けられた一対のブラケット２５に挟持されていて、前記一対のブラケット２５に取付けられた回動支点ピン２６により、回動自在に支承されている。また、一対の爪体２１は、支持板１１の中心に対して半径方向にずれた状態で配置されている。このため、球受ロッド１８の切欠溝部１８ａにおいて、各爪体２１の連結レバー部２３は、重なり状態で配置されている。そして、各連結レバー部２３の重なり部分に、支点ピン２７が挿通されていて、該支点ピン２７は、球受ロッド１８の下端部に支承されている。このようにして、球受ロッド１８と一対の爪体２１とが連結される。また、各連結レバー部２３において、前記支点ピン２７が挿通される部分には、長孔２３ａが設けられている。なお、ロッド本体部８の上端部には、各爪体２１の連結レバー部２３を入り込ませるための逃し部８ａが設けられている。
【００１７】
また、図７に示されるように、各爪体２１における係合レバー部２４の下部は、内側に向かってほぼ直角に屈曲されていて、当該部分に投球ロッド体案内筒３のフランジ部３ｂと係合される係合部２４ａが形成されている。そして、この係合部２４ａの終端部から係合レバー部２４の下端部にかけての部分は斜めに切除されていて、当該部分に係合案内部２４ｂが形成されている。各係合案内部２４ｂにおいて、それらの下端部どうしの間隔Ｗａは、投球ロッド体案内筒３のフランジ部３ｂの外径よりも広く、上端部どうしの間隔Ｗｂは、投球ロッド体案内筒３のフランジ部３ｂの外径よりも狭い。各係合案内部２４ｂは、投球ロッド体Ｄが押し下げられるとき、前記フランジ部３ｂの上側の外周縁部分に接しながら、一対の爪体２１を、それらの基端部２２に取付けられた回動支点ピン２６を中心に互いに反対方向に回動させて、前記一対の爪体２１を拡開させるという機能を有している。
【００１８】
そして、後述するように、投球ロッド体案内筒３のフランジ部３ｂと一対の爪体２１とが係合ロックされた状態（図７に示される状態）で、球Ｂが投球案内筒２に入り込み、球受ばね１９の弾発力に抗して球受板１７を押し下げると、一対の爪体２１の各連結レバー部２３も押し下げられる。しかし、一対の爪体２１は、それらの基端部２２を支承する回動支点ピン２６により、垂直面内での回動のみ可能な状態で取付けられている。このため、一対の爪体２１の各係合レバー部２４は、前記各回動支点ピン２６の軸心を中心として外方に回動され、一対の爪体２１が拡開される（図１１参照）。この結果、投球ロッド体案内筒３のフランジ部３ｂと一対の爪体２１との係合ロックが解除される。
【００１９】
次に、ペダル装置Ｅについて説明する。図３に示されるように、投球案内筒２の外周面には、該投球案内筒２の軸心方向に沿ってペダルロッド案内筒２８が固着されている。このペダルロッド案内筒２８に、ペダルロッド２９が挿通されている。そして、このペダルロッド２９における長手方向のほぼ中央部には、該ペダルロッド２９と軸直角にして連結棒３１が固着されている。このペダルロッド２９において、前記連結棒３１よりも上方の部分は、前記ペダルロッド案内筒２８に挿通されていると共に、その下端部は、投球案内筒２の下端部に取付けられたガイド体３２に挿通されている。このため、前記ペダルロッド２９は、ペダルロッド案内筒２８とガイド体３２にガイドされ、ペダルロッド案内筒２８の下端面と前記ガイド体３２の上端面との間において上下動可能である。
【００２０】
そして、前記ペダルロッド２９は、前記ペダルロッド案内筒２８の直上に配置されたストッパ体３３と、戻しばね３４（引張りばね）を介して連結されている。前記ストッパ体３３の幅は、ペダルロッド案内筒２８の外径よりも広いため、ペダルロッド２９は、前記戻しばね３４の弾発力により、常に上方に引っ張られている。また、前記ペダルロッド２９の下端部は、前述した連結板１３に固着されている。このため、図３に示されるように、戻しばね３４の弾発力に抗してペダルロッド２８が押し下げられると、連結板１３を介して投球ロッド体Ｄも、投球ばね７の弾発力に抗して押し下げられる。更に、前記連結棒３１の先端部には、皿状の踏込ペダル３５が取付けられている。このため、バッティング練習者Ｍは、前記踏込ペダル３５を足で踏み込むことによって投球ロッド体Ｄを押し下げることができ、その操作性が良好である。
【００２１】
次に、送球装置Ｃについて説明する。図１及び図２に示されるように、左右方向における筐体１の上面の両端部で、かつ、奥行方向のほぼ中央部には、一対の支柱３６が、相対向して立設されている。一対の支柱３６どうしの間には、一方側（図面視における右側）の支柱３６の上端部から、他方側の支柱３６における高さ方向のほぼ中央部に向かって傾斜状態で一対の棒材（上側球支持棒３７）が、平面視において所定間隔（球Ｂの外径よりも少し狭い間隔）をおいて固着されている。そして、前記一対の上側球支持棒３７の上方には、各上側球支持棒３７と平行にして、一対の上側球ガイド棒３８が固着されている。一対の上側球支持棒３７は、転動する球Ｂを支持するためのものであり、一対の上側球ガイド棒３８は、前記一対の上側球支持棒３７の上を転動する球Ｂが落下しないようにガイドするためのものである。当然のことながら、一対の上側球ガイド棒３８の間隔は、球Ｂの外径よりも広い。
【００２２】
同様にして、他方側の支柱３６における高さ方向のほぼ中央部から、一方側の支柱３６の下端部に向かって、一対の下側球支持棒３９と、一対の下側球ガイド棒４１とが傾斜状態で固着されている。前述した一対の上側球支持棒３７の上を転動する球Ｂは、その終端部３７ａにおいて、その直下に配置された一対の下側球支持棒３９の上に落下する。このため、一対の上側球支持棒３７の終端部３７ａは、球Ｂの外径よりも広くなるようにわん曲されている（図１参照）。また、一方側の支柱３６の下端部には、前記一対の下側球支持棒３９の上を転動する球Ｂを排出するための開口孔３６ａが設けられている。
【００２３】
図１及び図２に示されるように、筐体１の右側面部で、前記一対の下側球支持棒３９の終端部に臨む部分には、シャッタ装置Ｆが配設されている。シャッタ装置Ｆについて説明する。このシャッタ装置Ｆは、上下の各球支持棒３７，３９の上を転動して送られる球Ｂの送り方向を、ほぼ直角に転換させると共に、下側球支持棒３９の終端部に、連なり状態で配置される複数個の球Ｂの送りを堰き止めて、１個ずつ投球案内筒２に送り込むという機能を有している。図９に示されるように、このシャッタ装置Ｆを構成するシャッタ板４２は、側面視において略Ｌ字状であり、その基端部に設けられた回動支点軸４３の軸心を中心に回動可能である。また、前記シャッタ板４２の底面部には、戻しばね４４（圧縮ばね）が取付けられている。該シャッタ板４２は、前記戻しばね４４の付勢力により、常に上方に回動されていて、球Ｂを堰き止めている。更に、前記シャッタ板４２は、ワイヤ４５により、フットスイッチＳと連結されている。バッティング練習者Ｍが、フットスイッチＳの踏込板４６を踏み込むと、前記ワイヤ４５が引っ張られ、シャッタ板４２が下方に回動される。その状態を、図９において二点鎖線で示す。すると、先頭の球Ｂが、下側球支持棒３９の終端部からシャッタ板４２の上面に送り込まれる。バッティング練習者Ｍが、足をフットスイッチＳの踏込板４６から離すと、前記シャッタ板４２は、戻しばね４４の付勢力により上方に回動される。このため、シャッタ板４２に保持されていた球Ｂは転動して、前記シャッタ板４２に連続して取付けられている誘導板４７に誘導され、該誘導板４７の先端部に臨んで配置されている投球案内筒２に入り込む。また、前記シャッタ板４２は、再び上方に回動されて、次の球Ｂが堰き止められる。なお、図９において、４８は、フットスイッチＳの踏込板４６を戻すための戻しばねである。
【００２４】
本実施形態のトスバッティング練習装置Ｔの作用について説明する。図１及び図２に示されるように、筐体１に配設された送球装置Ｃの上下の各球支持棒３７，３９に複数個の球Ｂが載置される。各球支持棒３７，３９は傾斜しているため、各球Ｂは無動力で転動する。上下の各球支持棒３７，３９の上方には、各球ガイド棒３８，４１が設けられているため、転動する各球Ｂが落下するおそれはない。また、シャッタ装置Ｆを構成するシャッタ板４２により、支柱３６の開口孔３６ａが閉じられているため、先頭の球Ｂ（以下、特定球Ｂ’と記載する）は、下側球支持棒３９の終端部に配置されると共に、残りの球Ｂは、該特定球Ｂ’の後方に連なり状態で配置される。
【００２５】
図３に示されるように、バッティング練習者Ｍが、ペダル装置Ｅを構成する踏込ペダル３５を踏み込むと、ペダルロッド２９が押し下げられる。そして、該ペダルロッド２９と連動して、投球ロッド体Ｄが押し下げられ、該投球ロッド体Ｄを構成するロック装置部Ｌも押し下げられる。このとき、球受板１７は、球受ばね１９によって上方に付勢されているため、一対の爪体２１は、そのままの状態で押し下げられる。そして、図１０に示されるように、一対の爪体２１の係合案内部２４ｂが、投球ロッド体案内筒３のフランジ部３ｂの上側の外周縁部に接する。ここで、一対の爪体２１の各係合案内部２４ｂの上端部どうしの間隔Ｗｂは、投球ロッド体案内筒３のフランジ部３ｂの外径よりも狭い（図７参照）。このため、投球ロッド体Ｄが押し下げられると、一対の爪体２１は、各回動支点ピン２６の軸心を中心として徐々に拡開される。
【００２６】
更に、投球ロッド体Ｄが押し下げられて、一対の爪体２１の各係合案内部２４ｂの下端部が、投球ロッド体案内筒３のフランジ部３ｂよりも下方に配置されると、図５に示されるように、球受ばね１９の弾発力により、一対の爪体２１は、それぞれ内側に向かって回動される。そして、一対の爪体２１における各係合部２４ａが、投球ロッド体案内筒３のフランジ部３ｂの底面部に当接するため、投球ロッド体Ｄと投球ロッド体案内筒３とが係合ロックされる。
【００２７】
図１に示されるように、バッティング練習者Ｍは、バッティング姿勢を取ったまま、フットスイッチＳの踏込板４６を踏み込む。すると、図９に示されるように、ワイヤ４５が引っ張られ、シャッタ装置Ｆを構成するシャッタ板４２が下方に回動されるため、該シャッタ板４２によって堰き止められていた先頭の球（特定球Ｂ’）が、前記シャッタ板４２の上に送られる。そして、該シャッタ板４２は、戻しばね４８の弾発力によって再び上方に回動される。このため、シャッタ板４２の上に配置された特定球Ｂ’が転動して、前方に送り出されると共に、次の球Ｂの送りが堰き止められる。
【００２８】
前記特定球Ｂ’は、誘導板４７の上を転動し、送球装置Ｃの送球口に臨んで取付けられている投球装置Ａの投球案内筒２に入り込む。前記投球案内筒２の上端部には、球ガイド体６が取付けられているため、特定球Ｂ’は、確実に投球案内筒２に入り込む。
【００２９】
図１１に示されるように、前記投球案内筒２に入り込んだ特定球Ｂ’は、該投球案内筒２の上部の内周面に沿って落下し、所定の衝撃力でもって球受板１７を押圧する。このときの衝撃力は、球受ばね１９の付勢力よりも大きくなるように設定されているため、前記球受板１７が僅かに下動される。一対の爪体２１が、外側に向かってそれぞれ拡開されるため、各係合部２４ａが、投球ロッド体案内筒３のフランジ部３ｂから外れる。そして、投球ばね７の弾発力により、投球ロッド体Ｄが急上動され、前記投球案内筒２の上部の内周面に案内されて特定球Ｂ’を発射させる。バッティング練習者Ｍは、前記投球案内筒２から発射された特定球Ｂ’を打つ。この操作が反復されて、トスバッティング練習が行われる。
【００３０】
本実施形態のトスバッティング練習装置Ｔでは、送球装置Ｃから送り込まれた球Ｂは、いったん、投球装置Ａを構成する投球案内筒２に入り込み、該投球案内筒２の内周面に案内されて発射される。このため、球Ｂの投球軌跡は、毎回ほぼ一定となる。しかも、このとき、バッティング練習者Ｍが行うべき操作は、ペダル装置Ｅを構成する踏込ペダル３５を踏み込んで、投球ロッド体Ｄを押し下げることと、バッティング姿勢を取った状態で、フットスイッチＳの踏込板４６を踏み込むことだけである。このため、バッティング練習者Ｍが１人であっても、簡単な操作を行うだけで、トスバッティング練習を行うことができる。
【００３１】
本実施形態のトスバッティング練習装置Ｔでは、バッティング練習者Ｍが、フットスイッチＳの踏込板４６を踏み込んでから、球Ｂが投球案内筒２から発射されるまでの時間は、投球ばね７の弾発力（投球ばね７のセット位置）を調整する（即ち、六角ナット１４の締込量を調整する）ことにより、変更可能である。また、投球案内筒２から発射される球Ｂの投球軌跡は、筐体１に対する投球装置Ａの取付角度を調整することにより、変更可能である。こうすることにより、発射される球Ｂの到達高さ位置を変更することができ、バッティング練習者Ｍの身長や球Ｂのバッティング位置（発射された球Ｂの「高め」位置、「低め」位置）に対応することができる。
【００３２】
本実施形態のトスバッティング練習装置Ｔでは、球Ｂを発射させるために、投球ロッド体Ｄを急発進させる手段は投球ばね７である。このため、電源を必要とせず、屋外であっても使用することができると共に、安価に製作できる。また、投球装置Ａを構成するほとんどの部材が、投球案内筒２に内装されているため、コンパクトであり、搬送が容易である。
【００３３】
【発明の効果】
本発明に係るトスバッティング練習装置は、球を１個ずつ送り出す送球装置と、該送球装置と一体に取付けられる投球装置とを備えたトスバッティング練習装置であって、前記送球装置から前記投球装置に入り込んだ球を、弾発手段により、前記投球装置を構成する投球案内筒で案内しながら投球することを特徴としている。このため、球の投球軌跡が一定になる。また、弾発手段により、球を発射させる構成であるため、その構成が簡単になる。
【図面の簡単な説明】
【図１】本発明に係るトスバッティング練習装置Ｔの全体斜視図である。
【図２】同じく正面図である。
【図３】投球装置Ａの正面断面図である。
【図４】同じく平面図である。
【図５】投球ロッド体Ｄの正面図である。
【図６】図５のＸ−Ｘ線断面図である。
【図７】ロック装置部Ｌの正面断面図である。
【図８】同じく底面図である。
【図９】シャッタ装置Ｆの側面断面図である。
【図１０】投球ロッド体Ｄが下動されて、一対の爪体２１の係合案内部２４ｂと投球ロッド体Ｄのフランジ部３ｂとが当接する状態を示す図である。
【図１１】投球ロッド体Ｄのフランジ部３ｂと一対の爪体２１との係合が解除された状態を示す図である。
【符号の説明】
Ａ：投球装置
Ｂ：球
Ｃ：送球装置
Ｄ：投球ロッド体
Ｅ：ペダル装置
Ｆ：シャッタ装置
Ｌ：ロック装置部（ロック機構）
Ｍ：バッティング練習者
Ｔ：トスバッティング練習装置
２：投球案内筒
３：投球ロッド体案内筒
３ｂ：フランジ部（被ロック部）
７：投球ばね（ばね体）
１７：球受板
２１：爪体（係合ロック部）
３５：踏込ペダル（踏込板）
４２：シャッタ板（シャッタ）
【図１】
2004024480.tif 000003
【図２】
2004024480.tif 000004
【図３】
2004024480.tif 000005
【図４】
2004024480.tif 000006
【図５】
2004024480.tif 000007
【図６】
2004024480.tif 000008
【図７】
2004024480.tif 000009
【図８】
2004024480.tif 000010
【図９】
2004024480.tif 000011
【図１０】
2004024480.tif 000012
【図１１】
2004024480.tif 000013